(57)【要約】【課題】弾球遊技機に装着される発射ハンドルにおいて、発射ハンドル側のボリュームと弾球遊技機側の回路基板とを接続する電線が断線するのを防ぐ。【解決手段】発射ハンドル１８は、発射装置を操作するために遊技者によって回動操作されるリング３２とリング３２の回転量に応じて抵抗値が変化するボリューム３６とが含まれるハンドル本体３０と、パチンコ機１の下部ユニット４の前面部分に装着されるとともにハンドル本体３０が取り付けられる基筒２０と、に分離して構成され、ボリューム３６がハンドル本体３０内部のリング３２よりも後端部側に配置されることを特徴とする。【選択図】図３
2014045987.tif 000002
【特許請求の範囲】
【請求項１】
発射装置を操作するために遊技者によって回動操作されるリングと、前記リングの回転量に応じて抵抗値が変化するボリュームと、を備えて弾球遊技機に装着される発射ハンドルにおいて、
前記リングおよび前記ボリュームが含まれるハンドル本体と、
前記弾球遊技機の前面部分に装着されるとともに前記ハンドル本体が取り付けられる基筒と、
に分離して構成され、
前記ボリュームが前記ハンドル本体内部の前記リングよりも前記後端部側に配置されることを特徴とする発射ハンドル。
【請求項２】
請求項１に記載の発射ハンドルにおいて、
前記ハンドル本体は、さらに、
前記リングを回転可能に支持するとともに前記ボリュームを当該ハンドル本体の前記リングよりも前記後端部側に支持する支持部材が含まれること
を特徴とする発射ハンドル。
【請求項３】
請求項２に記載の発射ハンドルにおいて、
前記ハンドル本体においては、
前記リングの回転軸の先端および前記ボリュームの入力軸の先端が前記支持部材の背面から突出しており、
さらに、前記回転軸の先端と前記入力軸の先端とに係合して前記回転軸の回転量を前記入力軸に伝達する伝達機構が含まれること
を特徴とする発射ハンドル。
【発明の詳細な説明】
【技術分野】
【０００１】
本発明は、弾球遊技機に装着される発射ハンドルの技術分野に属する。
【背景技術】
【０００２】
パチンコ機等の弾球遊技機では、発射装置にて遊技球を発射して遊技盤の遊技領域に打ち出し、その遊技球の遊技領域における挙動によって遊技が行われる。
発射装置による発射力の強弱は遊技者によって操作されるのが普通であり、そのための発射ハンドルが弾球遊技機に備わっている。
【０００３】
一般に遊技者による操作はリングを介して行われる。すなわち、発射ハンドルに設置される人体センサが発射ハンドルに接触する遊技者を検知した場合にリングに対する遊技者による操作を有効と判断して、リングを時計回りに回せば発射装置の発射力を強める操作となり、この回転を反時計回りに戻せば発射力を弱める操作となる。
【０００４】
このため、発射ハンドルには、このリングの時計回り方向への回転量に応じて抵抗値が変化するボリュームが備わっており、弾球遊技機は、この抵抗値の変化を例えば電位の変化として検出し、それに基づいて発射装置の発射力を制御するようになっている（例えば特許文献１参照）。
【先行技術文献】
【特許文献】
【０００５】
【特許文献１】特開２００１−３５３２７０号公報（第３頁、図１〜図４）
【発明の概要】
【発明が解決しようとする課題】
【０００６】
しかしながら、上記特許文献１に開示される発射ハンドルにおいては、ボリュームがリング前方のキャップの内部に配置されているため、キャップ内部のボリュームと弾球遊技機側の回路基板とを電線で接続するためには、リングに開口を形成して上述の電線を通す必要があり、この電線がリングに引っ掛かって断線するおそれがある。
【０００７】
なお、このような断線を回避のためには、電線を保護するための保護部材を設けることも考えられるが、その分製造コストが高くなるとともに発射ハンドルの内部構造が複雑化するという問題がある。
【０００８】
本発明は、このような課題に鑑みなされたものであり、その目的とするところは、弾球遊技機に装着される発射ハンドルにおいて、発射ハンドル側のボリュームと弾球遊技機側の回路基板とを接続する電線が断線するのを防ぐことにある。
【課題を解決するための手段】
【０００９】
上記課題を解決するためになされた請求項１に係る発射ハンドルは、発射装置を操作するために遊技者によって回動操作されるリングと、前記リングの回転量に応じて抵抗値が変化するボリュームと、を備えて弾球遊技機に装着される発射ハンドルにおいて、前記リングおよび前記ボリュームが含まれるハンドル本体と、前記弾球遊技機の前面部分に装着されるとともに前記ハンドル本体が取り付けられる基筒と、に分離して構成され、前記ボリュームが前記ハンドル本体内部の前記リングよりも後端部側に配置されることを特徴とする。
【００１０】
このように構成された本発明の発射ハンドルによれば、ボリュームがハンドル本体内部のリングよりも後端部側に配置されているので、ボリュームと弾球遊技機側の回路基板とを電線で接続した場合でも電線がリングに引っ掛かるおそれがなく、したがって、電線が断線するおそれもない。
【００１１】
請求項２に係る発射ハンドルは、請求項１に記載の発射ハンドルにおいて、前記ハンドル本体は、さらに、前記リングを回転可能に支持するとともに前記ボリュームを当該ハンドル本体の前記リングよりも後端部側に支持する支持部材が含まれることを特徴とする。
【００１２】
このように構成された本発明の発射ハンドルによれば、リングとボリュームとが同一の部材（支持部材）に支持される構成であるので、リングとボリュームが別々の部材に支持される構成に比べて、リングとボリュームとの位置決め精度が高い。
【００１３】
請求項３に係る発射ハンドルは、請求項２に記載の発射ハンドルにおいて、前記ハンドル本体においては、前記リングの回転軸の先端および前記ボリュームの入力軸の先端が前記支持部材の背面から突出しており、さらに、前記回転軸の先端と前記入力軸の先端とに係合して前記回転軸の回転量を前記入力軸に伝達する伝達機構が含まれることを特徴とする。
【００１４】
このように構成された本発明の発射ハンドルによれば、リングの回転軸の先端およびボリュームの入力軸の先端が支持部材の背面から突出して露出しているので、伝達機構を用いてリングの回転軸とボリュームの入力軸とを係合させる作業が行いやすい。
【図面の簡単な説明】
【００１５】
【図１】パチンコ機１の正面図（ａ）および側面図（ｂ）
【図２】発射ハンドル１８の正面図（ａ）、側面図（ｂ）
【図３】Ａ−Ａ断面図
【図４】Ｂ−Ｂ断面図
【図５】発射ハンドル１８の背面図
【図６】発射ハンドル１８のハンドル本体３０の背面図
【発明を実施するための形態】
【００１６】
以下に本発明の実施形態を図面とともに説明する。なお、本発明は下記実施形態に限定されるものではなく、様々な態様にて実施することが可能である。
［１．パチンコ機１の構成の説明］
図１に示す弾球遊技機としてのパチンコ機１は、払出装置（図示省略）から払い出された遊技球を発射装置（図示省略）から発射して遊技領域（図示省略）に転動させて遊技を行う遊技機である。
【００１７】
このパチンコ機１の前面部には、窓枠２、上皿扉３、下部ユニット４が上から順に配されている。
窓枠２はヒンジにて中枠７に連結されていて、扉状に開閉可能である。窓枠２には円形の窓８が設けられているが、この窓８は窓枠２の背面部に取り付けられたガラス板にて閉鎖されている。一方、中枠７は周知の遊技盤（図示省略）を保持しており、窓枠２の窓８（ガラス板）を通して遊技盤を視認できる。
【００１８】
上皿扉３も、窓枠２と同様にヒンジにて中枠７に連結されていて、扉状に開閉可能である。上皿扉３の前面部には球皿である上皿１０が取り付けられている。
下部ユニット４は中枠７の前面部に固定されており、その前面には灰皿１６、球皿である下皿１７、発射ハンドル１８が取り付けられている。
【００１９】
このように中枠７は窓枠２、上皿扉３、下部ユニット４を支承しているが、自身もヒンジによって外枠１９に連結されていて扉状に開閉可能である。
［２．発射ハンドル１８の構成の説明］
次に、本発明が適用された発射ハンドル１８の構成について説明する。
【００２０】
図２に示すように、発射ハンドル１８は、基筒２０と、ハンドル本体３０と、に分離して構成される。
［２．１．基筒２０の構成の説明］
基筒２０は、合成樹脂（例えばＡＢＳ）の成形品であり、円筒形状の後部２１と、後部２１よりも大きい径寸法を有する円筒形状の前部２２とを連結した構成を有している。そして、基筒２０は、後部２１がパチンコ機１の下部ユニット４の前面部分に装着され、前部２２にはビス２３を用いてハンドル本体３０が取り付けられる（図３参照）。
【００２１】
［２．２．ハンドル本体３０の構成の説明］
ハンドル本体３０は、キャップ３１と、リング３２と、支持部材３３と、ストップスイッチ３５と、ボリューム３６と、を備えている。
【００２２】
キャップ３１は、不透明な合成樹脂（例えばＡＢＳ）の成形品であり、リング３２の頭部に取り付けられ、ハンドル本体３０の頭頂部を形成する。
リング３２は、透光性の合成樹脂（例えばポリカーボネート）の成形品であり、ハンドル本体３０の頭頂部以外の部分を形成する。
【００２３】
また、リング３２の外周部には波状に凹凸した指掛け３２ａが形成されている。指掛け３２ａは、リング３０を把持する遊技者の指が掛かる部分であり、本実施形態では、リング３２の３か所に上記指掛け３２ａが形成されている。さらに、リング３２の指掛け３２ａを含む外周部には透明な導電性フィルム３２ｃが貼付されており、この導電性フィルム３２ｃは、リング３２を人体を検知するための人体センサの検出接点として機能させる。なお、本実施形態では、導電性フィルム３２ｃとしてＩＴＯ透明導電性フィルムを用いている。
【００２４】
また、リング３２は、支持部材３３に回転可能に支持されている。具体的には、リング３２の内部には、円筒状の回転軸３２ｂが設けられており、この回転軸３２ｂが支持部材３３の円筒状の円筒部３３ａに軸受３２ｄを介して内挿されている。このような構成により、リング３２は、発射装置を操作するために遊技者によって回動操作される。
【００２５】
また、リング３２においては、回転軸３２ｂの先端が支持部材３３の背面から突出しており、この回転軸３２ｂの先端にリング側ギヤ３４がビス止めされてフランジ状になっており、リング３２が支持部材３３から外れないようになっている。なお、リング側ギヤ３４にギヤ歯３４ａが設けられているのは、リング側ギヤ３４の外周のおよそ半周にわたる範囲である（図５および図６参照）。
【００２６】
ボリューム３６は、入力軸３６ａの回転量に応じて抵抗値が変化する周知の可変抵抗である。ボリューム３６は支持部材３３に支持されており、ハンドル本体３０のリング３２よりも後端部側の位置に配置されている。また、ボリューム３６は、電線（図示省略）によってパチンコ機１側の回路基板（図示省略）と電気的に接続されている。また、入力軸３６ａの先端が支持部材３３の背面から突出しており、この入力軸３６ａの先端にはボリューム側ギヤ３６ｂが取り付けられている。
【００２７】
なお、リング３２の回転軸３２ｂとボリューム３６の入力軸３６ａとは互いに平行である。そして、リング３２側のリング側ギヤ３４とボリュームユニット３６側のボリューム側ギヤ３６ｂとは互いに係合している。なお、リング側ギヤ３４およびボリューム側ギヤ３６ｂが伝達機構を構成する。
【００２８】
このため、リング３２を回すと回転軸３２ｂとともにリング側ギヤ３４が回転し、それに応じてボリューム側ギヤ３６ｂが回転するので、リング３２を回すことでボリューム３６の抵抗値が変化する。この変化が例えば電圧の変化として現れる回路を用いれば、リング３２の回動量を電気信号に変換できる。そして、リング３２の回動量示す電気信号が、電線を介してボリューム３６パチンコ機１側の回路基板に出力される。
【００２９】
このとき、上述の人体センサが人体を検知していると、発射装置から、電気信号の電圧に応じた発射力で遊技球が発射される。なお、遊技球の発射中にストップスイッチ３５が操作されると、発射装置からの遊技球の発射は停止される。また、人体センサが人体を検知していない場合には、リング３２の回動角度に拘わらず、発射装置からは遊技球は発射されない。
【００３０】
また、リング３２の回転位置は、これを回動する外力が及ぼされていないときには、ねじれコイルバネ３７の付勢力によって、上述のように規定される回転範囲の上記反時計回り方向の限度（以下、「原点」ともいう）にされる。したがって、リング３２は、原点と上述のように規定される回転範囲の上記時計回り方向の限度（以下、「回転限度」ともいう）との間で時計回り、反時計回りに回動可能である。なお、リング側ギヤ３４とボリューム側ギヤ３６ｂとの歯合については、リング３２が原点から回転限度までの範囲にある限りは維持されるようになっている。そして、リング３２が回転限度まで回動すると、リング３２は揺動爪２８に係止されてその回転角度を維持できるようになっている。
【００３１】
［３．実施形態の効果］
（１）このように本実施形態の発射ハンドル１８によれば、基筒２０とともに発射ハンドルを構成するハンドル本体３０にはリング３２、支持部材３３およびボリューム３６が含まれており、ボリューム３６がハンドル本体３０内部のリング３２よりも後端部側に配置されているので、ボリューム３６とパチンコ機１側の回路基板とを電線で接続した場合でも電線がリング３２に引っ掛かるおそれがなく、したがって、電線が断線するおそれもない。
【００３２】
（２）また、本実施形態の発射ハンドル１８によれば、ハンドル本体３０においては、リング３２とボリューム３６とが同一の部材（支持部材３３）に支持される構成になっているので、リング３２とボリューム３６が別々の部材に支持される構成に比べて、リング３２とボリューム３６との位置決め精度が高い。
【００３３】
（３）また、本実施形態の発射ハンドル１８によれば、リング３２の回転軸３２ａの先端およびボリューム３６の入力軸３６ａの先端が支持部材３３の背面から突出して露出しているので、伝達機構としてのリング側ギヤ３４およびボリューム側ギヤ３６ｂを用いてリング３２の回転軸３２ｂとボリューム３６の入力軸３６ａとを係合させる作業が行いやすい。
【符号の説明】
【００３４】
１…パチンコ機、２…窓枠、３…上皿扉、４…下部ユニット、７…中枠、８…窓、１０…上皿、１６…灰皿、１７…下皿、１８…発射ハンドル、１９…外枠、２０…基筒、２１…基筒の後部、２２…基筒の前部、２３…ビス、２８…揺動爪、３０…ハンドル本体、３１…キャップ、３２…リング、３２ａ…指掛け、３２ｂ…回転軸、３２ｃ…導電性フィルム、３２ｄ…軸受、３３…支持部材、３３ａ…円筒部、３４…リング側ギヤ、３４ａ…ギヤ歯、３５…ストップスイッチ、３６…ボリューム、３６ａ…入力軸、３６ｂ…ボリューム側ギヤ、３７…コイルバネ
【図１】
2014045987.tif 000003
【図２】
2014045987.tif 000004
【図３】
2014045987.tif 000005
【図４】
2014045987.tif 000006
【図５】
2014045987.tif 000007
【図６】
2014045987.tif 000008